(57)【要約】【課題】現在視聴されている番組等の視聴に影響することなく、予約対象となった番組等の視聴、再生、録画の状況を確実に把握できるようにする。【解決手段】表示装置は、特定の時刻に特定の放送番組を受信して表示部９に表示させるための予約設定が可能な視聴予約機能と、特定の時刻に特定の放送番組を所定の記録媒体に録画するための予約設定が可能な録画予約機能と、特定の時刻に特定の録画コンテンツを再生して表示部９に表示させるための再生予約機能とのいずれかまたは複数を有する。制御部１４は、上記の各機能により予約対象となった映像を特定の時刻に表示部９に表示する際、もしくは所定の記録媒体に録画させる際に、特定の時刻に表示部９に表示されている他の映像と、予約対象となった映像とを多画面で同時に表示させる。【選択図】図１
2010093529.tif 000002
【特許請求の範囲】
【請求項１】
入力映像を表示する表示部と、該表示部の表示を制御する表示制御部とを備え、特定の時刻に特定の放送番組を受信して前記表示部に表示させるための予約設定が可能な視聴予約機能と、特定の時刻に特定の放送番組を所定の記録媒体に録画するための予約設定が可能な録画予約機能と、特定の時刻に特定の録画コンテンツを再生して前記表示部に表示させるための再生予約機能のいずれか１または複数を有する表示装置において、
前記表示制御部は、前記視聴予約機能、前記録画予約機能、または前記再生予約機能により予約対象となった映像を、前記視聴予約機能、前記録画予約機能、または前記再生予約機能の実行により前記特定の時刻に前記表示部に表示する際、もしくは前記所定の記録媒体に録画させる際に、前記特定の時刻に前記表示部に表示されている他の映像と、前記予約対象となった映像とを多画面で同時に表示させることを特徴とする表示装置。
【請求項２】
請求項１に記載の表示装置において、該表示装置は、前記録画予約機能を実行するために録画予約の対象となった映像を前記所定の記録媒体に録画する制御を行う録画制御部を有し、
該表示制御部は、前記録画制御部が前記録画予約の対象となった映像を前記所定の記録媒体に録画させる際に、録画映像をデコードした映像を前記表示部に前記多画面で表示させることを特徴とする表示装置。
【請求項３】
請求項２に記載の表示装置において、前記所定の記録媒体は、前記表示装置に外部接続された録画装置に装着された記録媒体であって、前記録画制御部は、前記外部接続された録画装置を制御するための制御信号を前記録画装置に送出することにより、前記録画対象となった映像を録画するともに、前記録画映像をデコードして前記表示装置に出力させる制御を行うことを特徴とする表示装置。
【請求項４】
請求項１〜３のいずれか１に記載の表示装置において、該表示装置は、ユーザによる操作入力を受け付ける操作入力部を有し、前記表示制御部は、前記予約対象となった映像を前記多画面で表示させているときに、前記操作入力部に対して前記予約対象となった映像を一画面で表示させる指示入力があった際に、前記多画面の表示から、前記予約対象となった映像の一画面表示に表示を切り換えることを特徴とする表示装置。
【請求項５】
請求項４に記載の表示装置において、該表示装置は、前記多画面の表示から、前記予約対象となった映像の一画面表示に表示を切り換えた際に、前記特定の時刻に前記表示部に表示されている他の映像の音声を出力させることを特徴とする表示装置。
【請求項６】
請求項１〜５のいずれか１に記載の表示装置において、前記表示制御部は、前記予約対象となった映像を前記多画面で表示させているときに、前記予約対象となった映像を一画面で表示させる操作入力を可能とするＧＵＩ画面を前記多画面と同時に表示させることを特徴とする表示装置。
【請求項７】
請求項２〜４のいずれか１に記載の表示装置において、該表示装置は、前記予約対象となった映像を一時記憶するための媒体である一時記憶手段と、前記視聴予約機能を使用して、前記多画面の表示から前記予約対象となった映像の一画面表示に切り換えた際に、前記予約対象となった映像を前記一時記憶手段に記憶する制御を行う一時記憶制御部とを有することを特徴とする表示装置。
【発明の詳細な説明】
【技術分野】
【０００１】
本発明は、表示装置、より詳細には、録画予約、視聴予約、及び再生予約等の予約機能を有する表示装置に関する。
【背景技術】
【０００２】
放送信号の受信機能を備えたテレビジョン装置などの表示装置では、ユーザによる視聴予約を行うことができるものがある。視聴予約機能においては、ユーザが所望する放送番組の視聴を予め表示装置に予約しておくことができ、表示装置では、視聴予約された時刻が到来すると、視聴予約された番組を選局して表示画面に表示させるようにしている。
【０００３】
また、テレビジョン装置などの表示装置では、表示装置に接続した録画装置や、表示装置に内蔵される録画モジュールなどの記録媒体に対して、録画予約を行うことができるものがある。録画予約機能においては、ユーザが所望する放送番組の録画を予め表示装置に予約しておくことができ、表示装置では、録画予約された時刻が到来すると、所定の録画装置や録画モジュールの記録媒体に対して選局した番組を録画させる制御を行う。
【０００４】
同様に、表示装置では、ユーザが所望する時刻に所望の録画コンテンツを再生させるようにした再生予約機能をもつものもある。再生予約機能においては、ユーザが所望する放送番組等の録画されたコンテンツの再生を予め表示装置に予約しておくことができ、表示装置では、再生予約された時刻が到来すると、指定されている録画装置や録画モジュールの記録媒体に記録された指定のコンテンツを再生させ、表示装置の表示画面に表示させる制御を行う。
【０００５】
予約録画機能を備えた表示装置に関し、例えば特許文献１には、多画面表示中に予約録画処理が始まった場合でも、ユーザにとって違和感のない表示を行うようにしたデジタル放送受信装置が開示されている。
このデジタル放送受信装置は、リモコン装置から予約録画に関する指示を受けた場合に、例えば予約開始２分前になると、表示部が現在２画面以上を表示しているか否かを判定する。そして、２画面以上の表示中であれば、予約録画開始時間より前に、録画予約した番組の画面を除く、すなわち予約チャネルとして選局していない方の１画面を残し、多画面のうちの一画面を非表示にする。次いで、予約開始時間になると予約録画が開始される。この際、予約録画が開始された旨をユーザに報知する表示を行う。
【特許文献１】特開２００８−３５１７９号公報
【発明の開示】
【発明が解決しようとする課題】
【０００６】
上記のように、視聴予約機能を備えた表示装置においては、ユーザが予め視聴予約した放送番組は、その予約時刻が到来すると表示画面に表示される。このような場合、視聴予約を設定していない他のユーザが表示画面を視認しているときに視聴予約時刻が到来すると、現在視聴しているユーザが予期することなく画面が切り替わり、視聴予約された放送番組の表示が開始されてしまう。この場合に、視聴していたユーザは、予期しない表示画面の切り替わりにより混乱を生じる。
【０００７】
また、上記のように視聴予約を設定していない他のユーザが画面を視聴しているときに、視聴予約に従って画面が切り替わると、現在視聴しているユーザが表示画面を元に戻す操作を行うこともある。このような場合には、実際に視聴予約を設定したユーザは、自身が予約した放送番組を試聴できなくなってしまう。あるいは、表示装置に視聴予約を設定している状態で、他のユーザが視聴予約を解除する操作を行うことにより、視聴予約を設定したユーザが所望の番組を試聴できなくなるようなことも想定される。また、視聴予約を設定しているときに、視聴予約を設定したユーザは、視聴予約時刻が到来したときに表示装置の前にいないと、予約した放送番組等を視聴することができない、という問題もある。
【０００８】
上記のような視聴予約に関する問題は再生予約の実行時にも生じ得る。例えば再生予約したコンテンツの再生が始まったときに、他のユーザにより画面を切り替えられてしまったり、他のユーザにより再生予約が解除されたりすることが想定できる。また、再生予約したコンテンツの再生開始時には、ユーザは画面の前にいる必要がある。
【０００９】
また、録画予約の場合に、ユーザは、録画予約した舗装番組等の録画が、確実に開始されているか否かを確認したいという要求がある。例えば、表示装置に録画予約を設定し、その後録画予約時刻が到来して録画を開始したときに、従来の表示装置では、録画中の画面は表示装置には表示されない。このときに例えば“録画中”などのＯＳＤ（On Screen Display）が表示されることもあるが、この場合にも実際の録画中の画面をユーザが確認することはできない。
【００１０】
このような問題に対して、特許文献１では、上記のように視聴予約のときに多画面表示時に予約が入ったときに、一画面を置き換えて表示する方法を開示している。しかしながら、１画面表示や多画面表示のときに表示画面を置き換えてしまうため、どうしても現在の視聴番組が中断されてしまうという問題が生じる。
【００１１】
本発明は、上述のごとき実情に鑑みてなされたもので、視聴予約や再生予約あるいは録画予約機能を有する表示装置において、現在視聴されている番組等の視聴に影響することなく、予約対象となった番組等の視聴、再生、録画の状況を確実に把握できるようにした表示装置及び表示システムを提供することを目的とするものである。
【課題を解決するための手段】
【００１２】
上記課題を解決するために、本発明の第１の技術手段は、入力映像を表示する表示部と、表示部の表示を制御する表示制御部とを備え、特定の時刻に特定の放送番組を受信して表示部に表示させるための予約設定が可能な視聴予約機能と、特定の時刻に特定の放送番組を所定の記録媒体に録画するための予約設定が可能な録画予約機能と、特定の時刻に特定の録画コンテンツを再生して表示部に表示させるための再生予約機能のいずれか１または複数を有する表示装置において、表示制御部は、視聴予約機能、録画予約機能、または再生予約機能により予約対象となった映像を、視聴予約機能、録画予約機能、または再生予約機能の実行により特定の時刻に表示部に表示する際、もしくは所定の記録媒体に録画させる際に、特定の時刻に表示部に表示されている他の映像と、予約対象となった映像とを多画面で同時に表示させることを特徴としたものである。
【００１３】
第２の技術手段は、第１の技術手段において、表示装置は、録画予約機能を実行するために録画予約の対象となった映像を所定の記録媒体に録画する制御を行う録画制御部を有し、表示制御部は、録画制御部が録画予約の対象となった映像を所定の記録媒体に録画させる際に、録画映像をデコードした映像を表示部に多画面で表示させることを特徴としたものである。
【００１４】
第３の技術手段は、第２の技術手段において、所定の記録媒体は、表示装置に外部接続された録画装置に装着された記録媒体であって、録画制御部は、外部接続された録画装置を制御するための制御信号を録画装置に送出することにより、録画対象となった映像を録画するともに、録画映像をデコードして表示装置に出力させる制御を行うことを特徴としたものである。
【００１５】
第４の技術手段は、第１〜３のいずれかの技術手段において、表示装置は、ユーザによる操作入力を受け付ける操作入力部を有し、表示制御部は、予約対象となった映像を多画面で表示させているときに、操作入力部に対して予約対象となった映像を一画面で表示させる指示入力があった際に、多画面の表示から、予約対象となった映像の一画面表示に表示を切り換えることを特徴としたものである。
【００１６】
第５の技術手段は、第４の技術手段において、表示装置は、多画面の表示から、予約対象となった映像の一画面表示に表示を切り換えた際に、特定の時刻に表示部に表示されている他の映像の音声を出力させることを特徴としたものである。
【００１７】
第６の技術手段は、第１〜５のいずれかの技術手段において、表示制御部は、予約対象となった映像を多画面で表示させているときに、予約対象となった映像を一画面で表示させる操作入力を可能とするＧＵＩ画面を多画面と同時に表示させることを特徴としたものである。
【００１８】
第７の技術手段は、第２〜４のいずれかの技術手段において、表示装置は、予約対象となった映像を一時記憶するための媒体である一時記憶手段と、視聴予約機能を使用して、多画面の表示から予約対象となった映像の一画面表示に切り換えた際に、予約対象となった映像を一時記憶手段に記憶する制御を行う一時記憶制御部とを有することを特徴としたものである。
【発明の効果】
【００１９】
本発明によれば、視聴予約や再生予約あるいは録画予約機能を有する表示装置において、現在視聴されている番組等の視聴に影響することなく、予約対象となった番組等の視聴、再生、録画の状況を確実に把握できるようになる。
【発明を実施するための最良の形態】
【００２０】
図１は、本発明による表示装置の他の構成例を説明するためのブロック図である。本例の表示装置は、２つのチューナを持つテレビとして構成されたものである。本例の表示装置は、フロントエンド（Ａ）２、デマルチプレクサ（Ａ）３、映像・音声デコード部（Ａ）４と、フロントエンド（Ｂ）５、デマルチプレクサ（Ｂ）６、映像・音声デコード部（Ｂ）７、画面合成部８、表示部９、音声切換部１０、音声出力部（Ａ）１１、音声出力部（Ｂ）１２を備えている。
【００２１】
それぞれのフロントエンド２，５には、アンテナ１で受信された放送信号を選局するチューナ回路とＩＦ復調回路及びＤＣ−ＤＣコンバータ回路が集積化されている。これらの２つのフロントエンド２，５を含む２系統の回路の信号が、画面合成部８により合成されて表示部９に表示され、また、音声切換部１０において切り換えられて、音声出力部（Ａ）１１と音声出力部（Ｂ）１２とに出力される。
【００２２】
さらに、表示装置は、時間を経時するためのタイマ１３、プログラムやデータなどを記憶するＲＯＭ１５、プログラムを展開して高速処理するＲＡＭ１６、全体を制御する制御部（ＣＰＵ）１４、リモコン信号を受光するリモコン受光部１７、入出力Ｉ／Ｆ１８、ＯＳＤ表示部１９等を有している。
【００２３】
入出力Ｉ／Ｆ１８は、録画機器などの外部機器と接続し、外部機器との間で映像・音声ストリームや制御信号を入出力するためのものである。映像・音声ストリームは、例えばＨＤＭＩ（High-Definition Multimedia Interface）やＩＥＥＥ１３９４等の規格に基づくＩ／Ｆにより伝送させることができる。またこの他、Ｄ端子やＳ端子、ピン端子などを適用したＩ／Ｆを用いてもよい。また、外部機器を制御するための制御信号には、ＨＤＭＩ規格やＩＥＥＥ１３９４規格に基づく制御コマンドを用いることができる。
【００２４】
ＯＳＤ表示部１９は、制御部１４による制御に従って表示部９にＯＳＤ（On Screen  Display）表示させるべきＯＳＤ信号を生成し、画面合成部８に出力する。画面合成部８では、フロントエンド２，５から出力されデコードされた映像信号にＯＳＤ信号を合成し、表示部９に出力させる。また、ＯＳＤ表示部１９は、受信したデジタル放送信号に含まれるデータ信号に指定されたＯＳＤ情報により、表示部１９に表示させるべきＯＳＤ信号を生成して出力させることができる。
タイマ１３は時間を経時する。制御部１４はタイマ１３を監視し、表示装置に設定された視聴予約時刻や録画予約時刻、再生予約時刻の到来を判定する。また、リモコン受光部１７は、表示装置の操作入力部であるリモコンからの操作信号を受光し、制御部に１４に出力する。
【００２５】
図１の制御部１４は、表示部の表示を制御する本発明の表示制御部、録画予約対象の録画制御を行う本発明の録画制御部、視聴予約対象を一時記憶手段に一時記憶させる本発明の一時記憶制御部の機能を実現する。また、本発明の一時記憶手段は、ＲＡＭ１６や、図示しない録画モジュールもしくは外部接続機器に備えられる記録媒体により実現される。
【００２６】
上記のような構成により、表示装置では、２つのチューナでそれぞれ選局した放送番組を１つの画面内で同時に表示させることができる。
以上、図１に示す構成例は、２つのチューナを備えたテレビとして構成された表示装置を示すものであるが、１つのチューナを備えたテレビであっても本発明に係る制御を実施することができる。この場合、図１に示す２系統のフロントエンドを含む回路のうち、一方のフロントエンドを含む回路が省略されたものとなる。他の機能については、図１の構成と同様のものを適用することができる。また、３つ以上の複数フロントエンドを持つ構成の表示装置であってもよい。
【００２７】
また、上記の表示装置において、録画・再生機能を備えた図示しない録画モジュールを内蔵させた構成をとることもできる。この場合、録画モジュールには、ＢＤ（Blu-ray Disc）やＤＶＤなどの記録媒体を装着して記録・再生を行うドライブや、ＨＤ（Hard Disk）などの固定型記録媒体のドライブ、あるいはＵＳＢ（Universal Serial Bus）メモリや各種のメモリカードに記録・再生を行うモジュールであってもよい。これらの録画モジュールでは、表示装置の制御部１４とは別にＣＰＵ等の制御手段を備え、その制御手段により録画コンテンツのデコードを行うような構成をとることもできる。この場合には、表示装置に内蔵された録画モジュールであっても、表示装置に対する外部入力の１つとみなして制御することができる。
【００２８】
例えば、録画モジュールの記録媒体に記録されている録画コンテンツより再生する場合、記録媒体に記録されているコンテンツのデータを録画モジュールのデコーダが復号した後、映像データ及び付加データについては映像出力可能な形式に変換して表示部９に出力し、音声データについては音声出力可能な形式に変換して、音声出力部１１，１２に映像と同期させて出力する。
【００２９】
また、録画モジュールの記録媒体にデジタル放送番組（デジタル放送コンテンツ）をそのまま録画する場合、フロントエンド２，５のいずれかにより、アンテナ１から入力された高周波信号（デジタル変調信号）を復調して録画モジュールの記録媒体に記録する。
あるいは、受信したデジタル放送番組や外部入力された記録済みのコンテンツをレート変換して録画する場合、録画モジュールのトランスコーダによって圧縮符号化された映像データを逆量子化し、量子化ステップを変更して再量子化する、等の処理を行わせることができる。
【００３０】
（視聴予約に関する処理例）
図２は、本発明による表示装置の一実施形態における視聴予約時の表示画面例を説明するための図である。
視聴予約機能は、上述したように、予め所望の放送番組等を視聴予約できる機能であって、表示装置では、視聴予約した時刻が到来すると、視聴予約した番組を選局して表示画面に表示させる制御を行うものである。ここで、本発明による一実施形態では、視聴予約した時刻が到来したときに、現在表示している画面とは別の第２画面を表示させ、その第２画面に対して視聴予約した番組等の表示画面を表示させるようにする。
【００３１】
図２（Ａ）は、放送受信機能を備えた表示装置で、放送番組を表示（視聴）している状態を示している。ここでは、表示装置の表示画面１００に、例えばＢＳ（broadcasting satellite）放送のサービスＩＤ“１０３”の番組を全画面１０１で表示しているものとする。説明のため、放送種別とサービスＩＤとを以下単に“ＢＳ１０３”のように記載する。
ここで、表示装置の視聴予約機能によって、予め特定の放送番組が特定の時間に視聴できるように予約されているものとする。そして、視聴予約された放送番組の予約時刻が到来すると、視聴予約された番組が表示されるが、本実施形態では、視聴予約された番組の予約時刻が到来すると、図２（Ｂ）に示すように、画面１００は多画面表示に切り替えられる。
【００３２】
ここでは、現在表示している“ＢＳ１０３”の番組を第１画面１０２に表示し、視聴予約された番組（例えば“ＢＳ１４１”とする）を第２画面１０３に表示する。この例では、視聴予約の番組を表示する第２画面１０３は、第１画面１０２より小さい画面である。このとき表示装置からの出力音声としては、これまで表示していた“ＢＳ１０３”の音声をそのまま出力する。
【００３３】
また、画面１００には、視聴予約された番組が表示されていることを知らせるためのメッセージ画面１０４がさらに表示される。図２（Ｃ）に示すように、メッセージ画面１０４には、“視聴予約実行中です。予約１画面に移動しますか？”とのメッセージを含むＧＵＩを表示し、視聴予約した番組の１画面表示に移動するかどうかをユーザに選択させることができる。
【００３４】
図２（Ｂ）の状態で、ユーザがリモコンの決定キーを操作すると、図２（Ｄ）に示すような画面１００に移行させることができる。ここでは、視聴予約により第２画面１０３に表示されていた番組が、ユーザの決定キー操作により切り替えられて、画面１００に１画面表示される。ここでは、視聴予約番組の表示開始前に表示していた第１画面の番組（“ＢＳ１０３”）は表示されない。また、図２（Ｄ）の画面１００には、視聴予約された番組が現在表示されていることを示す“視聴予約実行中”とのメッセージ１０５が表示される。このメッセージ１０５は、ＯＳＤによって表示させることができる。
図２（Ｄ）の画面でユーザがリモコンの戻るキーを操作することにより、図２（Ｂ）の画面に戻ることができる。
【００３５】
なお、視聴予約した番組の開始時刻が到来したときに、現在表示装置で視聴中の他の番組等がなくても、第２画面１０３とメッセージ画面１０４とを表示させることで、視聴予約の番組が開始されたことが明らかになる。また、この場合に、視聴予約した番組を１面表示させるようにしてもよい。このとき、１画面表示に切り換えるＧＵＩを含むメッセージ画面１０４を表示する必要はないが、視聴予約番組が開始されたことを示すＯＳＤを表示させるようにするとよい。
また、視聴予約のメッセージ画面１０４に対して、録画予約への切り換えを可能とするＧＵＩを表示させるようにしてもよい。  
【００３６】
視聴予約した番組を多画面表示させる際に、第１画面１０２として表示させる画面は、受信中の放送番組のみならず、外部入力したコンテンツの画像であってもよい。例えば、表示装置に接続する録画再生装置（ＢＤプレーヤなど）から出力させたストリームを表示装置で再生中に、視聴予約した番組の開始時間が到来した場合には、録画再生装置から出力されたストリームの画面を第１画面１０２に表示させ、視聴予約した番組を第２画面１０３に表示させるようにすることができる。これは、表示装置が内蔵する録画モジュールを用いて再生している場合にも同様である。
【００３７】
放送番組の視聴予約を行う場合、図１のように、２つのフロントエンドを備えた表示装置では、視聴予約した番組の開始時刻になったときに、他の番組が表示されていても、２つのフロントエンドによって２つの番組を同時に表示させることができる。
【００３８】
また、１つのフロントエンドのみしか備えない表示装置では、フロントエンドを用いて放送番組を試聴しているときに視聴予約した番組が開始した場合、２画面で表示させることができない。しかし、例えば、表示装置で外部機器（ＢＤレコーダなど）や内蔵録画モジュールから出力された録画コンテンツを再生しているときに、視聴予約した番組を表示させる場合には、１つのフロントエンドしか使用しないため、上記のような２画面表示が可能となる。あるいは、表示装置に対して、チューナ付の記録再生装置やＳＴＢ（Set Top Box）などの外部機器が接続されている場合には、表示装置からそれらの外部機器を制御して、視聴予約した番組の開始時に外部機器のチューナでその番組を選局させて表示装置に出力させるようにしてもよい。これにより、視聴予約した番組を第２画面１０３で表示させることができる。
【００３９】
このように、視聴予約した番組の開始時刻が到来したときに、第２画面１０３で視聴予約した番組を表示することにより、現在視聴している番組が突然に途切れることなく、視聴予約された番組が始まったことをユーザが知ることができる。また、視聴予約された番組を１画面表示に切り換えるＧＵＩを含むメッセージ画面１０４を第２画面１０３とともに表示することで、ユーザは、任意のタイミングで１画面表示に切り換えることが可能となる。例えば、ユーザは、視聴予約された番組の冒頭のコマーシャルが終わったことを確認して１画面表示に切り換える、などの操作を行うことができる。
【００４０】
また、視聴予約した番組を第２画面１０３に表示したときに、その視聴予約した番組の録画を開始するようにしてもよい。この場合の録画先は予め定めておき、例えば表示装置の内蔵記録モジュールや、外部接続された録画装置などを使用することができる。また、この場合の録画は一時録画であるため、表示装置が備えるＲＡＭなどの一時バッファに視聴予約した番組を録画させるようにしてもよい。
【００４１】
そして、この場合の録画終了を指示するユーザ操作があるまでは、視聴予約した番組の録画を継続するようにしてもよいが、第２画面１０３に視聴予約した番組が表示された後、ユーザ操作によって第２画面１０３が１画面表示に切り替えられたときに自動的に録画を終了させるようにしてもよい。
【００４２】
また、第２画面１０３に視聴予約した番組を１画面表示に切り替えたときに、録画した番組の最初から再生を開始して１画面表示させるようにしてもよい。この場合、新たに受信されるストリームを一時バッファに記憶しながら、時間的に古い順に再生を行う処理を実行する。このときに再生を行った部分のストリームを順次一時バッファから消去するようにしてもよく、また再生後一定時間経過後に順次消去していくようにしてもよい。あるいは、視聴予約した番組の開始とともに第２画面１０３に表示を行ってから、第２画面を全画面表示に切り換える時間が僅かであった場合には、一時バッファに録画したストリームデータを消去するようにしてもよい。このときの時間が僅かであるか否かの判定は、所定の閾値を用いることができる。
【００４３】
図３は、本発明による表示装置の実施形態における視聴予約時の他の表示画面例を説明するための図である。図３の例では、多画面表示によって放送番組を視聴しているときに視聴予約した時刻が到来した場合には、現在表示している多画面とは異なる更に別の画面を表示させ、その別の画面に対して視聴予約した番組等の表示画面を表示させるようにする。
【００４４】
図３（Ａ）は、放送受信機能を備えた表示装置で、放送番組を表示（視聴）している状態を示している。ここでは、表示装置の表示画面１００に例えば“ＢＳ１０３”と“ＢＳ１８１”をそれぞれ第１画面１１１と第２画面１１２にて２画面表示しているものとする。この場合、出力されている音声は、いずれか１方の番組（例えば“ＢＳ１０３”とする）の音声である。
ここで、視聴予約機能によって、予め特定の放送番組が特定の時間に視聴できるように予約され、視聴予約された放送番組の予約時刻が到来すると、図３（Ｂ）に示すように、視聴予約された番組が表示される。
【００４５】
このとき本実施形態では、視聴予約された番組の予約時刻が到来すると、現在表示している“ＢＳ１０３”と“ＢＳ１８１”の番組の表示画面（第１画面１１１，第２画面１１２）は、視聴予約番組の開始前の表示画面より小さく、また左右に表示されていた２つの画面１１１，１１２が縦方向に並べて表示される。
そして、視聴予約された番組（例えば“ＢＳ１４１”とする）を第３画面１１３に表示する。この例では、視聴予約の番組を表示する第３画面１１３は、第１画面１１１及び第２画面１１２より小さい画面である。このとき表示装置からの出力音声としては、これまで表示していた“ＢＳ１０３”の音声をそのまま出力する。
【００４６】
また、図３（Ｂ）の画面１００には、視聴予約された番組が表示されていることを知らせるためのメッセージ画面１１４がさらに表示される。このメッセージ画面１１４は、図４（Ｃ）に示すように、“視聴予約実行中です。予約１画面に移動しますか？”とのメッセージを含むＧＵＩを表示し、視聴予約した番組の１画面表示に移動するかどうかをユーザに選択させるものである。
【００４７】
図３（Ｂ）の状態で、ユーザがリモコンの決定キーを操作すると、図３（Ｄ）に示すような画面１００に移行させることができる。ここでは、視聴予約により第３画面１１３に表示されていた番組が、ユーザの決定キー操作により切り替えられて、画面１００に１画面表示される。ここでは、視聴予約番組の表示開始前に表示していた第１画面１１１の番組（“ＢＳ１０３”）及び第２画面の番組（“ＢＳ１８１”）の番組は表示されない。また、図３（Ｄ）の画面１００には、視聴予約された番組が現在表示されていることを示す“視聴予約実行中”とのメッセージ１１５がＯＳＤにより表示される。また、図３（Ｄ）の画面でユーザがリモコンの戻るキーを操作することにより、図３（Ｂ）の画面に戻ることができる。
【００４８】
このような３つの画面を同時に表示する場合であって、全ての画面で放送番組を表示する場合には、３つのフロントエンドが必要となる。２つのフロンとエンドをもつ表示装置では、２画面表示中に１方の画面で、外部機器や録画モジュールから出力された画面を表示している場合には、残りのフロントエンドを使用して視聴予約された番組の第３画面１１３を表示させることができる。
また、チューナ付の外部機器を接続して制御可能な場合には、視聴予約した番組を外部機器のチューナで選局させ、表示装置に出力させて第３画面１１３で表示させるようにすることができる。
【００４９】
図４は、本発明による表示装置の視聴予約時の処理例を説明するためのフローチャートである。視聴予約された番組等の表示が開始されると、表示装置では、自身が視聴中であるかどうかを判別する（ステップＳ１）。視聴中とは、放送番組を選局して表示画面に表示している状態や、外部機器から入力したコンテンツや内蔵モジュールに記録しているコンテンツ等を表示画面に表示している状態を指す。
【００５０】
ここで表示装置が視聴中であれば、視聴中画面と視聴予約画面とをスケーリングして１画面に表示させる（ステップＳ２）。つまり、表示部の１画面内にスケーリングした視聴中画面と視聴予約画面とを２画面表示させる。また、視聴中画面が２画面以上の多画面で表示されている場合には、さらにこれらの多画面の視聴中画面と、視聴予約画面とをスケーリングして１画面内に表示させる。
【００５１】
そして、視聴中画面の１画面表示への切り替えＧＵＩを表示させる（ステップＳ３）。ここでは、スケーリングされて多画面で表示されている視聴中画面を、１画面に表示させるかどうかをユーザに確認するメッセージを含むＧＵＩを表示させる。
次に視聴中画面の１画面への切り替えの操作が実行されたかどうかを判別し（ステップＳ４）、１画面への切り替えの操作が実行されたならば、視聴予約画面を１画面に表示させて（ステップＳ５）、予約画面への切り替えを終了する。
【００５２】
一方、ステップＳ１で視聴中でなければ、視聴予約番組を１画面に表示させる（ステップＳ６）。この場合には、現在視聴されている番組がないので、視聴予約番組を１画面の全画面に表示させることができる。
【００５３】
図５は、本発明による表示装置の視聴予約時の他の処理例を説明するためのフローチャートである。
視聴予約された番組等の表示が開始されると、表示装置では、自身が視聴予約番組の録画を開始する（ステップＳ１１）。録画先は、外部接続された録画装置や表示装置内蔵の録画モジュールの記録媒体である。
【００５４】
そして、表示装置では、自身が視聴中であるかどうかを判別する（ステップＳ１２）。視聴中とは、放送番組を選局して表示画面に表示している状態や、外部機器から入力したコンテンツや内蔵モジュールに記録しているコンテンツ等を表示画面に表示している状態を指す。
【００５５】
ここで表示装置が視聴中であれば、視聴中画面と視聴予約画面とをスケーリングして１画面に表示させる（ステップＳ１３）。つまり、表示部の１画面内にスケーリングした視聴中画面と視聴予約画面とを２画面表示させる。また、視聴中画面が２画面以上の多画面で表示されている場合には、さらにこれらの多画面の視聴中画面と、視聴予約画面とをスケーリングして１画面内に表示させる。
【００５６】
そして、視聴中画面の１画面表示への切り替えＧＵＩを表示させる（ステップＳ１４）。ここでは、スケーリングされて多画面で表示されている視聴中画面を、１画面に表示させるかどうかをユーザに確認するメッセージを含むＧＵＩを表示させる。
次に視聴予約開始（つまり視聴予約した番組の視聴開始）を確認した操作が行われたかどうかを判別し（ステップＳ１５）、視聴予約開始を確認した操作が行われたならば、視聴予約画面を１画面に表示させて、視聴予約の録画を停止し（ステップＳ１６）、予約画面への切り替えを終了する。
【００５７】
一方、ステップＳ１２で視聴中でなければ、視聴予約番組を１画面に表示させ、視聴予約開始を示すＧＵＩを表示させる（ステップＳ１７）。この場合には、現在視聴されている番組がないので、視聴予約番組を１画面の全画面に表示させることができ、同時にＯＳＤにより視聴予約を示すＧＵＩを表示させる。あるいは、現在視聴中の番組がなくても第２画面に視聴予約した番組を表示させてもよい。そして、視聴予約開始（つまり視聴予約した番組の視聴開始）を確認した操作が行われたかどうかを判別し（ステップＳ１８）、視聴予約開始を確認した操作が行われたならば、視聴予約の録画を停止し（ステップＳ１９）、予約開始処理を終了する。
【００５８】
（録画予約に関する処理例）
図６は、本発明による表示装置の実施形態における録画予約時の表示画面例を説明するための図である。
録画予約機能は、上述したように、予め所望の放送番組を録画予約できる機能であって、表示装置では、録画予約した時刻が到来すると、録画予約した番組を選局して、所定の記録媒体に録画させる制御を行うものである。録画予約における対象の記録媒体は、表示装置内蔵の録画モジュールや表示装置に接続された外部機器に装着された記録媒体とすることができる。
【００５９】
本発明に係る録画予約の実施例では、録画予約した時刻が到来したときに、現在表示している画面とは別の第２画面を表示させ、その第２画面に対して録画予約した番組を表示させるようにする。
図６（Ａ）は、放送受信機能を備えた表示装置で、放送番組を表示（視聴）している状態を示している。ここでは、表示装置の表示画面１００に例えば“ＢＳ１０３”の番組を１画面１２１にて表示しているものとする。ここで、録画予約機能によって、予め特定の放送番組が特定の時間に録画されるように予約されているものとする。そして、録画予約された放送番組の予約時刻が到来すると、図６（Ｂ）に示すように、録画予約された番組が表示されるが、本実施形態では、録画予約された番組の予約時刻が到来すると、画面１００は多画面表示に切り替えられる。
【００６０】
ここでは、現在表示している“ＢＳ１０３”の番組を第１画面１２２に表示し、録画予約された番組（例えば“ＢＳ１４１”とする）を第２画面１２３に表示する。この例では、録画予約された番組を表示する第２画面１２３は、第１画面１２２より小さい画面である。このとき表示装置からの出力音声としては、これまで表示していた“ＢＳ１０３”の音声をそのまま出力する。
【００６１】
また、画面１００には、録画予約された番組が表示されていることを知らせるためのメッセージ画面１２４がさらに表示される。図６（Ｃ）に示すように、メッセージ画面１２４には、録画予約されたコンテンツのサービスＩＤ，日時，タイトル，メディア残量などの情報の他、“録画予約実行中です”とのメッセージを含むＧＵＩをＯＳＤにて表示する。
この画面で所定のユーザ操作を行うことで、図６（Ａ）の画面に戻すこともでき、また、第２画面１２３を全画面表示させることもできる。また、図６（Ｃ）に示すようなメッセージ画面１２４では、メディア残量に応じて、録画時間を調整したり、録画モードを変更したりするユーザによる指示入力を可能とするＧＵＩを表示し、その指示入力に従って録画制御を行うようにしてもよい。例えば、メディア残量に応じて録画レートを２倍、３倍、５倍などに変更できるようにしてもよい。
【００６２】
第２画面１２３に表示する画面は、受信した放送番組を復調してデコードしたものである。デコードは、表示装置が備えるチューナを含むフロントエンドで行ったものであってもよいが、表示装置内部の別のＣＰＵでデコードして録画する構成では、その別のＣＰＵでデコードしたストリームを第２画面１２３に表示させる。また、録画先として表示装置に外部接続した録画装置を使用する場合には、その録画装置でデコードしたストリームを第２画面１２３に表示させることにより、第２画面１２３を録画のモニターとして使用することができ、確実に録画が開始されていることを確認することができる。このとき、外部接続した録画装置が、表示装置と離間している場合には、ユーザは、近くの表示装置にて録画状態をモニターしながら確認することができる。またメッセージ画面１２４にて、録画可能な時間やメディア残量を確認できるため、メディアの状態も表示装置で確実に確認することができる。
【００６３】
（本発明に係るシステム構成例）
図７は、本発明を実施するためのシステム構成の一例を説明するための図である。図７のシステムでは、本発明の表示装置の一実施形態として放送受信機能を備えたテレビ２００と、テレビ２００に接続されたＳＴＢ（Set Top Box）もしくはチューナ付録画機器３００とを備えている。ＳＴＢもしくはチューナ付録画機器３００は、いずれもチューナを備えていて、選局した番組のストリームをテレビ２００に出力させることができる。
【００６４】
この場合、テレビ２００では、１つのチューナを備えていて、アンテナ４００で受信した放送信号をテレビ２００内のチューナで選局して表示画面に表示させる。ここでは、例えば上述の図２のように、選局した“ＢＳ１０３”を１画面表示させることができる。
テレビ２００は視聴予約機能を有している。ここで予めユーザにより視聴予約が設定されている場合、テレビ２００では、視聴予約された時刻が到来すると、ＳＴＢもしくはチューナ付録画機器３００に対して制御信号を送信する。この制御信号は、予約された番組（例えば“ＢＳ１４１”とする）を選局し、映像・音声をＳＴＢもしくはチューナ付録画装置３００からテレビ２００に出力させることを指示するものである。制御信号及び映像・音声信号を伝送するためのＩ／Ｆとしては、例えばＨＤＭＩやＩＥＥＥ１３９４等の規格に基づくＩ／Ｆ等を適用することができる。なお映像・音声信号の伝送には、Ｄ端子ケーブルやＳ端子ケーブル、ピンケーブルなどを適宜適用したものであってもよい。
【００６５】
テレビ２００からの制御信号を受けたＳＴＢもしくはチューナ付録画装置３００では、アンテナ４００で受信した放送信号を選局し、選局した放送信号を復調した映像・音声信号をテレビ２００に出力する。
図７に示すようにテレビ２００では、表示画面を多画面表示に切り替えて、これまで視聴していた“ＢＳ１０３”を第１画面１０２に表示し、ＳＴＢもしくはチューナ付録画機器３００から出力された“ＢＳ１４１”を第２画面１０３に表示させる。また視聴予約された番組が開始されたことを示すメッセージ画面１０４を表示させることができる。
【００６６】
この後、テレビ２００に対する所定のユーザ操作によって、第２画面１０３に表示させた視聴予約番組を全画面表示させることができる。
また、このときにテレビ２００では、ＳＴＢもしくはチューナ付録画機器３００から視聴予約番組のストリームが出力され、第２画面１０３に視聴予約番組を表示したときに、所定の記録媒体に視聴予約番組の録画を開始させることができる。所定の記録媒体は、例えば、表示装置の一時記憶バッファとして備えられるＲＡＭや、テレビに内蔵された録画モジュールを適用することができる。また、テレビ２００に外部接続された機器がチューナ付の録画機器であれば、そのチューナ付録画機器に制御信号を送信して録画予約番組を録画させるようにしてもよい。また、チューナ付録画機器のみならず、テレビ２００に外部接続された他の録画装置を用いて視聴予約番組を録画させるようにしてもよい。
【００６７】
ユーザが第２画面１０３に表示した視聴予約番組を１画面表示に切り換える操作を行ったとき、あるいはその他所定の操作を行ったときに視聴番組の録画を停止させるようにすることができる。また、録画した視聴予約番組は、その後のユーザ操作によって適宜再生してテレビ２００の画面に表示させるようにすることができる。これにより、視聴予約した番組が開始して第２画面１０３に表示している間、その番組を録画しておくことができ、その後適宜再生することでその間の番組を試聴することができる。
【００６８】
図８は、本発明を実施するためのシステム構成の他の例を説明するための図である。図８のシステムでは、表示装置の一実施形態として放送受信機能を備えたテレビ２００と、テレビ２００に接続された録画機器３１０とを備えている。
この場合、テレビ２００は２つのチューナを備えているものとする。そして、アンテナ４００で受信した放送信号をテレビ２００内のチューナの一方で選局して表示画面に表示させる。ここでは、例えば上述の図２のように、選局した“ＢＳ１０３”を１画面表示させることができる。
【００６９】
テレビ２００が録画予約機能を有していて、予めユーザにより録画予約が設定されている場合、テレビ２００では、録画予約された時刻が到来すると、録画予約した番組をテレビ２００のもう一方のチューナで選局し（例えば“ＢＳ１４１”とする）、その映像・音声ストリームを録画機器３１０に対して出力する。また、このときに、録画機器３１０に対して制御信号を送信し、テレビ２００から出力した“ＢＳ１４１”の番組を録画機器３１０で録画するように制御する。また、この制御信号は、映像・音声ストリームを録画機器３１の記録媒体に記録するとともに、映像・音声ストリームをデコードしてテレビ２００に出力させることを指示するものである。
【００７０】
テレビ２００からの制御信号を受けた録画機器３１０では、テレビ２００から出力された映像・音声ストリームを録画機器３１０に装着された記録媒体に記録するとともに、その映像・音声ストリームをデコードしてテレビ２００に出力する。記録媒体への記録時にはビットレート変換などの処理を適宜実施する。
録画機器３１０からテレビ２００に出力された映像・音声ストリームは、第２画面１０３としてテレビ２００の画面に表示される。つまりテレビ２００では、表示画面を多画面表示に切り替えて、これまで視聴していた“ＢＳ１０３”を第１画面１０２に表示し、録画機器３１０から出力された“ＢＳ１４１”を第２画面１０３に表示させる。また視聴予約された番組が開始されたことを示すメッセージ画面１０４を表示させることができる。この後、テレビ２００に対する所定のユーザ操作によって、第２画面１０３に表示させた視聴予約番組を１画面表示させることができる。
【００７１】
このようにすることで、録画機器３１０でデコードされた映像・音声ストリームをテレビ２００で第２画面１０３に表示させて確認することができ、録画予約した番組が確実に録画されていることをユーザが確認することができる。
【００７２】
また、テレビ２００で２つのチューナを備える図８のシステムは、視聴予約に適用することもできる。例えば、アンテナ４００で受信した放送信号“ＢＳ１０３”をテレビ２００内のチューナの一方で選局して全画面表示させることができる。ここで、予めユーザにより視聴予約が設定されている場合、テレビ２００では、視聴予約された時刻が到来すると、テレビ２００内のもう一方のチューナを使用して、視聴予約された番組を選局し、表示画面に表示させる。
【００７３】
このときにテレビ２００では、表示画面を多画面表示に切り替えて、これまで視聴していた“ＢＳ１０３”を第１画面１０２に表示し、他方のチューナで選局された“ＢＳ１４１”を第２画面１０３に表示させる。また視聴予約された番組が開始されたことを示すメッセージ画面１０４を表示させる。
この後、テレビに対する所定のユーザ操作によって、第２画面１０３に表示させた視聴予約番組を全画面表示させることができる。
【００７４】
また、このときにテレビ２００では、所定の記録媒体に視聴予約番組の録画を開始させることができる。所定の記録媒体は、例えば、テレビに内蔵された録画モジュールを適用することもできるが、この例では、テレビ２００に外部接続された録画機器３１０を使用する。テレビ２００では、視聴予約された番組のストリームを録画機器３１０に出力する。
そして、テレビ２００では、録画機器３１０に対して制御信号を送信して、テレビ２００から送信した視聴予約番組を録画させる。
【００７５】
図９は、本発明を実施するためのシステム構成の更に他の例を説明するための図である。図９のシステムでは、表示装置の一実施形態として放送受信機能を備えたテレビ２００と、テレビ２００に接続されたチューナ付録画機器３２０とを備えている。
テレビ２００では、１つのチューナを備えていて、アンテナ４００で受信した放送信号をテレビ２００内のチューナで選局して表示画面に表示させる。ここでは、例えば上述の図６のように、選局した“ＢＳ１０３”を全画面表示させることができる。
【００７６】
テレビ２００は、録画予約機能を有している。ここで予めユーザにより録画予約が設定されている場合、テレビ２００では、録画予約された時刻が到来すると、チューナ付録画機器３２０に対して制御信号を送信する。
この制御信号は、予約された番組（例えば“ＢＳ１４１”とする）を選局し、その番組の映像・音声ストリームをチューナ付録画機器３２０の記録媒体に記録するとともに、選局した映像・音声ストリームをデコードしてチューナ付録画機器３２０からテレビ２００に出力させることを指示するものである。
【００７７】
テレビ２００からの制御信号を受けたチューナ付録画機器３２０では、自身のチューナで選局した映像・音声ストリームを記録媒体に記録するとともに、その映像・音声ストリームをデコードしてテレビ２００に出力する。記録媒体への記録時にはビットレート変換などの処理を適宜実施する。
チューナ付録画機器３２０からテレビ２００に出力された映像・音声ストリームは、第２画面１０３としてテレビ２００の画面に表示される。つまりテレビ２００では、表示画面を多画面表示に切り替えて、これまで視聴していた“ＢＳ１０３”を第１画面１０２に表示し、チューナ付録画機器３２０から出力された“ＢＳ１４１”を第２画面１０３に表示させる。また視聴予約された番組が開始されたことを示すメッセージ画面１０４を表示させることができる。この後、テレビ２００に対する所定のユーザ操作によって、第２画面１０３に表示させた視聴予約番組を１画面表示させることができる。
【００７８】
このようにすることで、チューナ付録画機器３２０でデコードされた映像・音声ストリームをテレビ２００で第２画面１０３に表示させて確認することができ、録画予約した番組が確実に録画されていることをユーザが確認することができる。
【００７９】
以上の例では、視聴予約及び録画予約時の処理例について説明したが、再生予約機能により、録画コンテンツの再生を行う場合にも同様の制御を行うことができる。
例えば、図２の例で説明すると、表示装置の再生予約機能により、所定のコンテンツを所定時刻に再生する設定がなされているとき、再生予約の開始時刻が到来したときに、表示装置では、現在視聴している画面を第１画面１０２に表示させ、再生予約されたコンテンツを第２画面１０３に表示させる。このとき、現在視聴している画面の音声を出力させる。また、メッセージ画面１０４には、現在再生予約が実行中である旨をユーザに知らせるためのメッセージを表示させることができる。そして、所定のユーザ操作によって、第２画面１０３を１画面表示に切り換えることができる。
【００８０】
図３のように、２画面表示中に再生予約されたコンテンツの再生が開始したときは、現在の画面を第１画面１１１及び第２画面１１２に表示し、再生が開始したコンテンツは第３画面１１３に表示させるようにする。
再生するコンテンツの対象は、適宜設定することができる。例えば表示装置内部の録画モジュールに録画したコンテンツや、表示装置に外部接続された録画再生装置等に録画されている録画コンテンツを再生させるようにすることができる。外部接続された録画再生装置等の場合には、ＨＤＭＩやＩＥＥ１３９４の規格に基づく制御信号を用いて再生制御を行うようにする。
【００８１】
また、表示装置において、視聴予約、録画予約、及び再生予約を使用するときに、上記の例のように、現在視聴中の画面と、予約対象となった番組等の画面とを多画面で表示させて操作可能とするか否かを、メニュー操作によってユーザに選択させるようにしてもよい。多画面表示の実行をユーザが選択しない場合には、表示装置では、従来どおりの予約実行処理を行うようにする。
【図面の簡単な説明】
【００８２】
【図１】本発明による表示装置の他の構成例を説明するためのブロック図である。
【図２】本発明による表示装置の一実施形態における視聴予約時の表示画面例を説明するための図である。
【図３】本発明による表示装置の実施形態における視聴予約時の他の表示画面例を説明するための図である。
【図４】本発明による表示装置の視聴予約時の処理例を説明するためのフローチャートである
【図５】本発明による表示装置の視聴予約時の他の処理例を説明するためのフローチャートである。
【図６】本発明による表示装置の実施形態における録画予約時の表示画面例を説明するための図である。
【図７】本発明を実施するためのシステム構成の一例を説明するための図である。
【図８】本発明を実施するためのシステム構成の他の例を説明するための図である。
【図９】本発明を実施するためのシステム構成の更に他の例を説明するための図である。
【符号の説明】
【００８３】
１…アンテナ、２，５…フロントエンド、３，６…デマルチプレクサ、７…映像音声デコード部、８…画像合成部、９…表示部、１０…音声切換部、１１，１２…音声出力部、１３…タイマ、１４…制御部、１５…ＲＯＭ、１６…ＲＡＭ、１７…リモコン受光部、１８…入出力Ｉ／Ｆ、１９…ＯＳＤ表示部、１９…表示部、１０１…全画面、１０４…メッセージ画面、１０５…メッセージ、１１１，１１２，１１３…画面、１１４…メッセージ画面、１１５…メッセージ、１２４…メッセージ画面、２００…テレビ、３００…チューナ付録画機器、３１０…録画機器、３２０…チューナ付録画機器、４００…アンテナ。
【図１】
2010093529.tif 000003
【図２】
2010093529.tif 000004
【図３】
2010093529.tif 000005
【図４】
2010093529.tif 000006
【図５】
2010093529.tif 000007
【図６】
2010093529.tif 000008
【図７】
2010093529.tif 000009
【図８】
2010093529.tif 000010
【図９】
2010093529.tif 000011